(57)【要約】【課題】簡易な構成によって、インピーダンスの微調整、及びクロストークの発生防止をすることを可能とする。【解決手段】多極配置された信号線ＳＣａを覆うように配置された導電性カバー１３に、信号線ＳＣａの両側の位置において当該信号線ＳＣａに向かって突出する電磁調整部１３ｂ４を設け、信号線ＳＣａに対して導電性カバー１３の電磁調整部１３ｂ４を近接配置し、電磁調整部１３ｂ４と信号線ＳＣａとの距離を適宜に調整することで、両者間に介在する絶縁物質の誘電率、つまりインピーダンスの調整を可能とし、高周波特性の向上を図るように構成したものである。【選択図】図２
2013110031.tif 000002
【特許請求の範囲】
【請求項１】
多極配列された信号線を有する信号伝送媒体の端末部分が接続されるものであって、
前記信号伝送媒体の信号線を覆うように導電性カバーが装着された電気コネクタにおいて、
前記導電性カバーに、前記信号線に向かって突出する電磁調整部が設けられ、
その電磁調整部は、前記多極配列の方向において前記信号線の両側に配置されていることを特徴とする電気コネクタ。
【請求項２】
前記電磁調整部が、前記信号線と、当該信号線が半田付けされる導電端子との接続部分に配置されていることを特徴とする請求項１記載の電気コネクタ。
【請求項３】
前記電磁調整部が、前記導電性カバーを前記信号線に向かって窪ませることにより形成されていることを特徴とする請求項１記載の電気コネクタ。
【請求項４】
前記電磁調整部が、前記信号線を中心として略円弧状に前記信号線を覆う湾曲形状に形成されていることを特徴とする請求項１記載の電気コネクタ。
【発明の詳細な説明】
【技術分野】
【０００１】
本発明は、多極配置された信号線を覆うように導電性カバーを配置した電気コネクタに関する。
【背景技術】
【０００２】
一般に、種々の電気機器において、互いに嵌合接続可能に構成された一対の電気コネクタを使用して、複数本の細線同軸ケーブルやフレキシブル配線基板等の各種信号伝送媒体を印刷配線基板に接続することが広く行われている。そのときの一対の電気コネクタとしては、例えば下記の特許文献１および２に記載されているように信号伝送媒体の端末部分が連結されるプラグコネクタ（第１コネクタ）と、印刷配線基板上に実装されるリセプタクルコネクタ（第２コネクタ）とが使用され、リセプタクルコネクタにプラグコネクタが嵌合されることにより電気的な接続が行われるようになっている。
【０００３】
このような電気コネクタにおいては、信号の電送を行う信号に対応した信号線が多極状に配置されているが、電磁波、電界、あるいは磁界の侵入、あるいは漏洩を防止する、いわゆるＥＭＩ（電磁波障害）対策のために、多極配置された信号線を覆うようにして導電性カバーが設けられることが多い。
【０００４】
一方、近年においては、電送される信号が高周波化・多極化されつつあることから、ＥＭＩ対策の一層の強化が要請されているとともに、高周波に対するインピーダンスの微調整が必要となりつつある。特に、信号線とコンタクトとの結線部分においては、信号線が露出状態となっているためにインピーダンスの不整合が起きやすく、伝送特性が低下するおそれがある。また、高周波の信号線間における、いわゆるクロストークの発生を防止することも必要となってきている。
【０００５】
【先行技術文献】
【特許文献】
【０００６】
【特許文献１】特開２００７−１７３０１８号公報
【特許文献２】特開２００９−１２９７３１号公報
【発明の開示】
【発明が解決しようとする課題】
【０００７】
そこで本発明は、簡易な構成によって、インピーダンスの微調整を可能とし、しかもクロストークの発生を防止することができるようにした電気コネクタを提供することを目的とする。
【課題を解決するための手段】
【０００８】
上記目的を達成するため本発明にかかる電気コネクタでは、多極配列された信号線を有する信号伝送媒体の端末部分が接続されるものであって、前記信号伝送媒体の信号線を覆うように導電性カバーが装着された電気コネクタにおいて、前記導電性カバーに、前記信号線に向かって突出する電磁調整部が設けられ、その電磁調整部は、前記多極配列の方向において前記信号線の両側に配置された構成になされている。
【０００９】
このような構成を有する電気コネクタによれば、信号線に対して導電性カバーの電磁調整部が近接配置されることから、それらの電磁調整部と信号線との距離を適宜に調整することで、両者間に介在する絶縁物質の誘電率、つまりインピーダンスの調整が可能となり、高周波特性の向上を図ることが可能となる。
【００１０】
また、本発明における前記電磁調整部は、前記信号線と、当該信号線が半田付けされる導電端子との接続部分に配置されていることが望ましい。
【００１１】
このような構成を有する電気コネクタによれば、インピーダンスの不整合を生じやすい部分における調整が直接的かつ効率的に行われる。
【００１２】
また、本発明における前記電磁調整部は、前記導電性カバーを前記信号線に向かって窪ませることにより形成されていることが望ましい。
【００１３】
このような構成を有する電気コネクタによれば、電磁調整部が容易に形成されることから、生産性が向上される。
【００１４】
さらに、本発明における前記電磁調整部は、前記信号線を中心として略円弧状に前記信号線を覆う湾曲形状に形成されていることが望ましい。
【００１５】
このような構成を有する電気コネクタによれば、信号線から電磁調整部に至るまでの距離が均等化されることから、インピーダンスの整合がさらに良好に行われる。
【発明の効果】
【００１６】
以上述べたように本発明にかかる電気コネクタは、多極配置された信号線を覆うように配置された導電性カバーに、信号線の両側の位置において当該信号線に向かって突出する電磁調整部を設け、信号線に対して導電性カバーの電磁調整部を近接配置し、電磁調整部と信号線との距離を適宜に調整することで、両者間に介在する絶縁物質の誘電率、つまりインピーダンスの調整を可能とし、高周波特性の向上を図るように構成したものであるから、簡易な構成によって、インピーダンスの微調整、及びクロストークの発生防止をすることができ、電気コネクタの性能又は信頼性を低廉かつ大幅に向上させることができる。
【図面の簡単な説明】
【００１７】
【図１】本発明の第１の実施形態にかかる細線同軸ケーブル用電気コネクタを相手コネクタに嵌合する前の状態を後方側から表した外観斜視説明図である。
【図２】図１にかかる電気コネクタ同士が嵌合された電気コネクタ組立体を後方側から表した外観斜視説明図である。
【図３】図１及び図２に示された電気コネクタ組立体の平面説明図である。
【図４】図３中の IV−IV 線に沿った横断面説明図である。
【図５】図３中の V−V 線に沿った横断面説明図である。
【図６】図３中の VI−VI 線に沿った縦断面説明図である。
【図７】図１〜図６に示されたプラグコネクタ（第１コネクタ）において導電性カバーを取り外した状態を後方側から表した外観斜視説明図である。
【図８】図７に示されたプラグコネクタ（第１コネクタ）に使用されている導電性カバーの単体構造を後方側から表した外観斜視説明図である。
【図９】図６中の IX 部で囲まれた部位を拡大して表した部分縦断面説明図である。
【図１０】本発明の第２の実施形態における図９相当の部分縦断面説明図である。
【図１１】本発明の第３の実施形態における図９相当の部分縦断面説明図である。
【発明を実施するための形態】
【００１８】
以下、本発明を、複数本の細線同軸ケーブルを印刷配線基板側に接続する電気コネクタに適用した実施形態の説明を図面に基づいて詳細に行う。
【００１９】
［電気コネクタ組立体の全体構成］
まず、図１〜図９に示された本発明の第１の実施形態にかかる電気コネクタ組立体は、信号伝送媒体としての細線同軸ケーブルＳＣの端末部が連結された本発明にかかるプラグコネクタ１と、そのプラグコネクタ１が上方側から嵌合されるリセプタクルコネクタ２と、からなる垂直嵌合型コネクタにより構成されている。そのうちのリセプタクルコネクタ２は、図示を省略した印刷配線基板上に接続脚部が接合されて実装されるように構成されており、当該リセプタクルコネクタ２の上方に配置されたプラグコネクタ１が、前記印刷配線基板と略直交する方向である図１下方向に向かって下降されることによって、リセプタクルコネクタ２の嵌合凹部の内方側にプラグコネクタ１の嵌合凸部が差し込まれ、それにより両コネクタ１，２どうしの嵌合操作が行われる構成になされている。以下において、印刷配線基板は「水平方向」に延在するように配置されているものとし、プラグコネクタ１を差し込む方向を「下方向」、その反対側の抜き出す方向を「上方向」とする。
【００２０】
［コネクタ本体部の概要］
これらのプラグコネクタ１、及びリセプタクルコネクタ２は、細長状をなすように形成されたコネクタ本体部を構成する絶縁ハウジング１１，２１を有している。以下において、これら絶縁ハウジング１１，２１の長手方向を「コネクタ長手方向」と呼び、当該コネクタ長手方向、及び上述した上下方向の双方に直交する方向を「前後方向」と呼ぶこととする。
【００２１】
また、上述したコネクタ本体部としての絶縁ハウジング１１，２１には、互いに同一の形状をなす複数体の導電端子（コンタクト）１２，２２が、コネクタ長手方向に沿って適宜のピッチ間隔で交互に多極配列されている。そして、上述したようにリセプタクルコネクタ２に対してプラグコネクタ１が下方向に向かって差し込まれ、それら両コネクタ１，２同士の嵌合操作が完了したときには、特に図４に示されているように、当該両コネクタ１，２にそれぞれ設けられた導電端子（コンタクト）１２，２２の接点部同士が、互いに圧接するようにして接触されて電気的な接続が行われるように構成されている。
【００２２】
このとき、上述した両コネクタ１，２の嵌合凸部及び嵌合凹部は、絶縁ハウジング１１，２１の互いに対向する部位を、コネクタ長手方向に沿って凸形状及び凹形状に延在するように形成したものであって、それら絶縁ハウジング１１，２１の凸形状部分及び凹形状部分には、上述した導電端子（コンタクト）１２，２２の接点部が配置され、両コネクタ１，２の嵌合時に電気的及び機械的な嵌合関係が形成されるようになっている。この点については後述する。
【００２３】
また、プラグコネクタ１の絶縁ハウジング１１の外表面には、金属製の導電性カバー１３が装着されているが、そのプラグコネクタ１側に設けられた導電性カバー１３は、プラグコネクタ１の上面側と後述する「前端縁部」との、ほぼ全面を覆うように装着されている。この点についても後述する。
【００２４】
［信号伝送媒体の概要］
一方、細線同軸ケーブル（信号伝送媒体）ＳＣの端末部分は、プラグコネクタ１の前後方向における一端側縁部に連結されており、コネクタ長手方向に沿って複数本の細線同軸ケーブルＳＣが多極状をなすように並列されている。以下、この細線同軸ケーブルＳＣの端末部分が連結されている長尺状側の端縁部を「後端縁部」と呼び、それと反対側の前方側の長尺状端縁部を「前端縁部」と呼ぶこととする。さらに、これらプラグコネクタ１の「後端縁部」及び「前端縁部」に対応するリセプタクルコネクタ２の各長尺状端縁部についても、同様に「後端縁部」及び「前端縁部」と呼ぶこととする。
【００２５】
それらの各細線同軸ケーブル（信号伝送媒体）ＳＣの端末部分には、被覆材が皮剥きされることによって、ケーブル中心導体（信号線）ＳＣａ及びケーブル外部導体（シールド線）ＳＣｂが露出されている。そして、当該細線同軸ケーブルＳＣの中心軸心に沿うように配置されたケーブル中心導体ＳＣａが、上述したプラグコネクタ１における各導電端子（コンタクト）１２のそれぞれに一括して半田接続されていて、後述するように、リセプタクルコネクタ２の各導電端子（コンタクト）２２のそれぞれに接続されることによって信号伝送回路が形成される。なお、プラグコネクタ１の各導電端子１２と、細線同軸ケーブルＳＣとの接続は、かしめ接続、圧接接続等により行うことも可能である。
【００２６】
一方、ケーブル中心導体ＳＣａの外周側を取り囲むように配置されたケーブル外部導体ＳＣｂは、上下一対配置されたグランドバーＳＣｃ，ＳＣｃの間において上下に挟持された状態で、多極配列方向に一括して半田接続されることにより保持されている。これらのグランドバーＳＣｃ，ＳＣｃは、プラグコネクタ１の導電性カバー１３に接触して電気的な接続が行われている。
【００２７】
［プラグコネクタ・シェル構造］
ここで、プラグコネクタ１に装着された導電性カバー１３は、コネクタ長手方向に長尺状をなす薄板金属部材を適宜の形状に曲げ形成された構成になされており、プラグコネクタ１の上面側と「前端縁部」との、ほぼ全面を覆うとともに、両コネクタ１，２同士の嵌合後においては、後述するようにリセプタクルコネクタ２を含む電気コネクタ組立体の略全体を上方側から覆うように構成されており、電磁波障害（ＥＭＩ）に対する電磁遮蔽の効果を得る上で好ましい構造になされている。
【００２８】
その導電性カバー１３は、プラグコネクタ１の前方側部分を覆う前方側導電性カバー１３ａと、プラグコネクタ１の上方側部分を覆う平面側導電性カバー１３ｂとを有している。平面側導電性カバー１３ｂにおける後端側及び両端側の各縁部には、下方に向かって突出する固定片１３ｂ１及び１３ｂ２が複数体形成されており、それらの固定片１３ｂ１及び１３ｂ２が、絶縁ハウジング１１に係合することによって導電性カバー１３の全体が所定の位置に取り付けられている。また、その平面側導電性カバー１３ｂにおける両端側の縁部には、弾性可撓性を有する接続舌片１３ｂ３が、下方に向かって片持ち状をなすようにそれぞれ形成されている。それらの各接続舌片１３ｂ３は、後述するリセプタクルコネクタ２側に設けられたホールドダウン２３に弾性的に圧接してグランド回路の電気的な接続を行う構成になされている。
【００２９】
また、その導電性カバー１３の平面側導電性カバー１３ｂは、上述したように多極配置された導電端子（コンタクト）１２を上方側から覆うように略水平に延在する平板状部材から形成されているが、当該平面側導電性カバー１３ｂのやや前方よりの部位には、ケーブル中心導体（信号線）ＳＣａに向かって突出する電磁調整部１３ｂ４が複数設けられている。これらの電磁調整部１３ｂ４は、コネクタ長手方向、つまり多極配列の方向に沿って略等間隔で配置されており、特に図９に示されているように、多極配列の方向において各信号線ＳＣａの両側に相当する位置に配置されている。
【００３０】
より具体的には、上述した各電磁調整部１３ｂ４は、信号線であるケーブル中心導体ＳＣａと、後述するようにケーブル中心導体ＳＣａが半田付けされる導電端子（コンタクト）１２との接続部分の上方位置であって、かつ多極配列方向において隣接するケーブル中心導体（信号線）ＳＣａ同士の間部分（極間部分）において、下方に突出するように形成されている。そして、これらの各電磁調整部１３ｂ４における下方側の突出部分における角部が、ケーブル中心導体（信号線）ＳＣａに対して上方側から近接するように配置されている。
【００３１】
このような各電磁調整部１３ｂ４の製造方法としては、例えば導電性カバー１３に対するプレス加工が採用され、平面側導電性カバー１３ｂに対して上方側からプレス加工を施すことで、下方に向かって断面略矩形状をなすように窪ませることにより電磁調整部１３ｂ４が形成されている。
【００３２】
［導電端子（コンタクト）の構造］
一方、上述した導電端子（コンタクト）１２は、特に図４に示されているように、絶縁ハウジング１１の上面に沿って略水平に延在する接続ビーム部１２ａと、その接続ビーム部１２ａの後端側から下方に向かって突出する嵌合ビーム部１２ｂとを有している。そのうちの接続ビーム部１２ａには、細線同軸ケーブル（信号伝送媒体）ＳＣのケーブル中心導体ＳＣａが上方側から載置されて半田付けされるとともに、当該接続ビーム部１２ａの後端側に連設された嵌合ビーム部１２ｂは、略Ｕ字状をなして下方に湾曲するように延出している。この嵌合ビーム部１２ｂは、後述するリセプタクルコネクタ２の導電端子（コンタクト）２２に対して圧接され、それによって信号回路が形成されるようになっている。
【００３３】
［リセプタクルコネクタ・シェル構造］
このような構造を有するプラグコネクタ１に対して、上述したリセプタクルコネクタ２に設けられた絶縁ハウジング２１には、コネクタ長手方向の両端部分に、同方向の外方側にそれぞれ突出するように折り曲げ形成されたホールドダウン２３，２３が取り付けられている。これらの各ホールドダウン２３は、コネクタ長手方向の外方側に向かって略水平に突出する部分を有しており、その外方突出部分が、図示を省略した印刷配線基板上のグランド導電路（図示省略）に対して半田接合され、それによって電気的な接続（グランド接続）が行われるとともに、リセプタクルコネクタ２全体の固定が行われる構成になされている。
【００３４】
［リセプタクルコネクタ・接続脚部構造］
さらに、リセプタクルコネクタ２の絶縁ハウジング２１に取り付けられた導電端子（コンタクト）２２は、絶縁ハウジング２１の前端縁部から前方側に向かって略水平に突出する接続ビーム部２２ａを有しており、それらの各接続ビーム部２２ａが、前述した印刷配線基板上の信号導電路（図示省略）に半田接合されて電気的な接続が行われ、信号伝送回路が構成されるようになっている。
【００３５】
［導電端子（コンタクト）の構造］
また、その導電端子（コンタクト）２２の前方側部分を構成している接続ビーム部２２ａの後端側には、略Ｓ字状に湾曲して延出する嵌合ビーム部２２ｂが後方側に向かって突出するように連設されている。この嵌合ビーム部２２ｂにおける後端側の立ち上がり部分は、弾性的な可撓性を有するように形成されており、そこに設けられた接点部に対して、前述したプラグコネクタ１の導電端子（コンタクト）１２が圧接され、それによって信号回路が形成されるようになっている。
【００３６】
このような構成を有する本実施形態にかかるプラグコネクタ１においては、細線同軸ケーブル（信号伝送媒体）ＳＣのケーブル中心導体（信号線）ＳＣａに対して、導電性カバー１３に設けられた電磁調整部１３ｂ４が近接するように配置されていることから、それらの電磁調整部１３ｂ４とケーブル中心導体（信号線）ＳＣａとの距離を適宜に調整することで、両者間に介在する絶縁物質の誘電率、つまりインピーダンスの調整が可能となり、高周波特性の向上を図ることが可能となる。
【００３７】
特に、本実施形態にかかる電磁調整部１３ｂ４は、インピーダンスの不整合を生じやすいケーブル中心導体（信号線）ＳＣａと導電端子（コンタクト）１２との接続部分に配置されているため、インピーダンスの調整が直接的かつ効率的に行われる。
【００３８】
さらに、本実施形態における電磁調整部１３ｂ４は、ケーブル中心導体（信号線）ＳＣａに向かって導電性カバー１３を窪ませることで容易な成形を可能としていることから、電気コネクタの生産性が向上されるようになっている。
【００３９】
一方、上述した第１の実施形態と同一の構成部材に対して同一の符号を付した図１０にかかる第２の実施形態においては、電磁調整部１３ｂ４’の角部に相当する部位が、滑らかな傾斜面をなすように形成されている。このような形状の電磁調整部１３ｂ４’を設けておけば、細線同軸ケーブル（信号伝送媒体）ＳＣのケーブル中心導体（信号線）ＳＣａに対して、電磁調整部１３ｂ４’を、より近接させて配置することが可能となり、上述した高周波特性が更に向上される。
【００４０】
更に、前述した第１の実施形態と同一の構成部材に対して同一の符号を付した図１１にかかる第３の実施形態にかかる電磁調整部１３ｂ４’’は、細線同軸ケーブル（信号伝送媒体）ＳＣのケーブル中心導体（信号線）ＳＣａの延在方向に対して直交する断面形状が、略円弧形状をなすように湾曲形成されていて、当該電磁調整部１３ｂ４’’が、ケーブル中心導体（信号線）ＳＣａを中心として略円弧状に覆う湾曲形状に形成されている。
【００４１】
このような構成を有する本実施形態によれば、細線同軸ケーブル（信号伝送媒体）ＳＣのケーブル中心導体（信号線）ＳＣａから電磁調整部１３ｂ４’’に至るまでの距離が、より均等化されることとなり、インピーダンスの整合が一層良好に行われる。
【００４２】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００４３】
例えば、上述した実施形態では、同一の形状をなす導電端子（コンタクト）を配置しているが、互いに異なる形状をなす導電端子を交互に多極配列した電気コネクタに対しても本発明は同様に適用することが可能である。
【００４４】
また、本発明は、上述した実施形態のような細線同軸ケーブル用コネクタに限定されることはなく、細線同軸ケーブルと絶縁ケーブルとが複数混合したタイプの電気コネクタについても同様に適用することが可能である。
【産業上の利用可能性】
【００４５】
以上のように本発明は、各種電気機器に使用される多種多様な電気コネクタに対して広く適用することが可能である。
【符号の説明】
【００４６】
１  プラグコネクタ
１０  コネクタ本体部
１１  絶縁ハウジング
１２  導電端子（コンタクト）
１２ａ  接続ビーム部
１２ｂ  嵌合ビーム部
１３  導電性カバー
１３ａ  前方側導電性カバー
１３ｂ  平面側導電性カバー
１３ｂ１，１３ｂ２  固定片
１３ｂ３  接続舌片
１３ｂ４  電磁調整部
２  リセプタクルコネクタ
２１  絶縁ハウジング
２２  導電端子（コンタクト）
２２ａ  接続ビーム部
２２ｂ  嵌合ビーム部
２３  ホールドダウン
ＳＣ  細線同軸ケーブル（信号伝送媒体）
ＳＣａ  ケーブル中心導体（信号線）
ＳＣｂ  ケーブル外部導体（シールド線）
ＳＣｃ  グランドバー
１３ｂ４’，１３ｂ４’’電磁調整部
【図１】
2013110031.tif 000003
【図２】
2013110031.tif 000004
【図３】
2013110031.tif 000005
【図４】
2013110031.tif 000006
【図５】
2013110031.tif 000007
【図６】
2013110031.tif 000008
【図７】
2013110031.tif 000009
【図８】
2013110031.tif 000010
【図９】
2013110031.tif 000011
【図１０】
2013110031.tif 000012
【図１１】
2013110031.tif 000013